(57)【特許請求の範囲】
【請求項１】
切断された電線の端末同士をスリーブで接続する際に電線の弛度が変わらないように電線を切断する間接活線作業用電線切断工具であって、
電線を切断する切断部と、電線の切断端面から所定の長さを離間した位置に切断部を位置決めする位置決め部とを備え、
位置決め部は、切断部で切り落とす電線の長さを表示する切断長さ表示部を備え、
切断長さ表示部は、電線の線径ごとに切断部を位置決めする位置を表示する標識であることを特徴とする間接活線作業用電線切断工具。
【請求項２】
位置決め部は、切断部を位置決めする位置を変更可能な切断位置変更部を備える請求項１に記載の間接活線作業用電線切断工具。
【請求項３】
切断長さ表示部は、切断部で切り落とす電線の長さを表示する目盛である請求項１又は２に記載の間接活線作業用電線切断工具。
【請求項４】
切断部によって切り落とされる電線を受け取る電線受取部であって、電線の端末側を囲む電線受取部を備える請求項１〜３のいずれか１項に記載の間接活線作業用電線切断工具。
【請求項５】
請求項１〜４のいずれか１項に記載の間接活線作業用電線切断工具を絶縁操作棒の先端に備えることを特徴とする間接活線作業用絶縁操作具。
【発明の詳細な説明】
【技術分野】
【０００１】
本発明は、電線を切断して停電させた後、その切断された電線の端末同士をスリーブで接続する際に電線の弛度が変わらないように電線を切断する間接活線作業用電線切断工具及び間接活線作業用絶縁操作具に関する。
【背景技術】
【０００２】
従来から、配電線路の停電工事における間接活線作業において、特許文献１のような電線切断工具が用いられている。この電線切断工具は、停電させる電線を切断するとき以外にも、切断された電線を再接続する前にその切断された電線の端末を切断するときにも使用される。なお、電線の端末とは、切断された電線の切断端面から線芯方向に延びる電線の一部分のことである。
【０００３】
この電線の端末を切断する理由を説明する。切断された電線の再接続には、円筒形状のスリーブが用いられる。このスリーブで電線の端末同士を圧縮接続することによって、電線を支持する支持点間における線路長が切断する前より伸びる。そのため、その支持点間に張り渡される電線の弛度が大きくなる。なお、弛度とは、電線の弛み具合を示す値である。弛度は、電線を支持する支持点と鉛直下方における電線の最低点との高さの差で表される。
【０００４】
電線の弛度が変わると、この電線が隣接する他の電線や装置などに接近する。そして、これらとの保安距離が確保できなくなることがある。よって、電線の弛度が電線の切断前と変わらないように支持点間における線路長を調整する必要があった。そのために、電線を再接続する前に、電線が切断される前の線路長よりスリーブが圧縮されて線路長が伸びる分を電線の端末から切断していた。
【先行技術文献】
【特許文献】
【０００５】
【特許文献１】特開２００４−１２１５８５号公報
【発明の概要】
【発明が解決しようとする課題】
【０００６】
しかし、特許文献１に記載されているような電線切断工具は、電線を切断する機能しかない。つまり、この電線切断工具には、電線の弛度が変わらないように電線を切断すべき位置を識別する目安となるものが設けられていなかった。特に、間接活線作業においては、作業者は、遠方から切断すべき位置を目視で識別しなければならず、電線を正確に切断するのは容易ではなかった。
【０００７】
よって、本発明は、かかる事情に鑑み、切断した電線をスリーブで再接続した際に電線の弛度が変わらないように電線を正確に切断できる間接活線作業用電線切断工具及び間接活線作業用絶縁操作具を提供することを課題とする。
【課題を解決するための手段】
【０００８】
本発明に係る間接活線作業用電線切断工具は、切断された電線の端末同士をスリーブで接続する際に電線の弛度が変わらないように電線を切断する間接活線作業用電線切断工具であって、電線を切断する切断部と、電線の切断端面から所定の長さを離間した位置に切断部を位置決めする位置決め部とを備え、位置決め部は、切断部で切り落とす電線の長さを表示する切断長さ表示部を備え、切断長さ表示部は、電線の線径ごとに切断部を位置決めする位置を表示する標識であることを特徴とする。
【０００９】
かかる構成によれば、電線を切断する際、位置決め部によって電線の切断端面から所定の長さを離間した位置に切断部が位置決めされている。この位置をスリーブが圧縮されて線路長が切断される前より伸びる分に設定しておけば、電線が再接続されても支持点間の線路長が切断前後で変わらないように切断することができる。そのため、作業者は、電線の弛度が電線を切断する前と比べて変わらないように容易に電線を切断することができる。
また、電線の端末が切断される前より伸びる線路長の長さがわかっておれば、切断長さ表示部により表示される長さを基に電線の端末を切断する位置を容易に変更することができる。
また、線路長が伸びる長さが電線の線径ごとに決まることを利用して、切断長さ表示部により表示される電線の線径ごとの標識を基に電線の端末を切断する位置を電線の線径から一意的に選択することができる。
【００１０】
ここで本発明に係る間接活線作業用電線切断工具の一態様として、位置決め部は、切断部を位置決めする位置を変更可能な切断位置変更部を備えることができる。
【００１１】
かかる構成によれば、切断位置変更部によって切断部を位置決めする位置を、線路長が切断される前より伸びる分に合わせて変更することができる。よって、線路長が伸びる条件が異なる様々な電線相互の接続に対応することができる。
【００１６】
また、本発明に係る間接活線作業用電線切断工具の他の態様として、切断長さ表示部は、切断部で切り落とす電線の長さを表示する目盛であることが好ましい。
【００１７】
かかる構成によれば、線路長が伸びる長さが算出できれば、切断長さ表示部により表示される目盛を基に電線の端末を切断する位置を選択することができる。
【００１８】
また、本発明に係る間接活線作業用電線切断工具の他の態様として、切断部によって切り落とされる電線を受け取る電線受取部であって、電線の端末側を囲む電線受取部を備えることができる。
【００１９】
かかる構成によれば、切断部で切り落とされる電線の端末は、その一部を囲む電線受取部で受け取られ、地上などに落下することがない。
【００２０】
本発明に係る間接活線作業用絶縁操作具は、前述の間接活線作業用電線切断工具を絶縁操作棒の先端に備えることを特徴とする。
【００２１】
かかる構成によれば、電線を切断する際、位置決め部によって電線の切断端面から所定の長さを離間した位置に切断部が位置決めされている。この位置をスリーブが圧縮されて線路長が切断される前より伸びる分に設定しておけば、電線が再接続されても支持点間の線路長が切断前後で変わらないように切断することができる。そのため、作業者は、電線の弛度が電線を切断する前と比べて変わらないように容易に電線を切断することができる。
【発明の効果】
【００２２】
以上の如く、本発明に係る間接活線作業用電線切断工具及び間接活線作業用絶縁操作具によれば、切断した電線をスリーブで再接続した際に電線の弛度が変わらないように電線を正確に切断できるという優れた効果を奏する。
【図面の簡単な説明】
【００２３】
【図１】図１は、本発明の一実施形態に係る間接活線作業用電線切断工具の正面図である。
【図２】図２は、同実施形態に係る間接活線作業用電線切断工具の左側面図である。
【図３】図３は、同実施形態に係る間接活線作業用電線切断工具の、図１のＡ−Ａ線断面図である。
【図４】図４は、同実施形態に係る間接活線作業用電線切断工具の要部分解斜視図である。
【図５】図５は、同実施形態に係る絶縁操作棒の外観図である。
【発明を実施するための形態】
【００２４】
本発明の一実施形態に係る間接活線作業用電線切断工具及び間接活線作業用絶縁操作具について、図１〜図５を参照しつつ説明する。
【００２５】
間接活線作業用電線切断工具１は、電線Ｗを切断して停電させた後、その切断された電線Ｗの端末同士をスリーブで接続する際に電線Ｗの弛度が変わらないように電線Ｗを切断するために用いられる。間接活線作業用電線切断工具１は、図５に示す長尺状の絶縁操作棒９の先端に設けられる先端工具の１つである。
【００２６】
絶縁操作棒９は、棒状の把持部９１と、この把持部９１に装着されたハンドル９２と、把持部９１の長尺方向の上方に位置し、ハンドル９２の回動に伴い軸中心に回動する回動軸９３と、把持部９１の長尺方向の上方に位置し、回動軸９３と並行に把持部９１の上端に固定される固定軸９４と、回動軸９３の回動力を伝達可能に間接活線作業用電線切断工具１を装着する装着部９５とを備える。
【００２７】
これにより、絶縁操作棒９は、ハンドル９２を回すことにより回動軸９３が軸中心に回動し、この回動力が間接活線作業用電線切断工具１に伝達される構造となっている。なお、絶縁操作棒９は、間接活線作業用電線切断工具１と組み合わせることにより、間接活線作業用絶縁操作具を構成する。
【００２８】
間接活線作業用電線切断工具１は、図１〜図４に示すように、一対の刃２１，２１で電線Ｗを切断する切断部２と、電線Ｗの切断端面から所定の長さを離間した位置に一対の刃２１，２１が位置するように切断部２を位置決めする位置決め部３と、切断部２によって切り落とされる電線Ｗを受け取る電線受取部４とを備える。
【００２９】
切断部２は、円弧状の一対の刃２１，２１と、該一対の刃２１，２１を回動可能に軸支する軸部２２と、一対の刃２１，２１の基端側にそれぞれ連結される一対の連結部２３，２３と、該一対の連結部２３，２３の一方が固定され、他方が螺合される長尺状の螺子棒２４と、該螺子棒２４を回動可能に絶縁操作棒９の先端部に装着される被装着部２５とを備える。
【００３０】
一対の刃２１，２１は、相対峙して配置される。そして、相対峙するこの一対の刃２１，２１の間に電線Ｗが配置され、一対の刃２１，２１が接近するように作用させることにより、電線Ｗは、一対の刃２１，２１のそれぞれの刃先を延長させて形成される面上の位置Ｂで略線径方向に切断される。以下、この位置Ｂを一対の刃２１，２１が電線Ｗの端末を切断する位置とする。
【００３１】
軸部２２は、図４に示すように、一対の刃２１，２１を回動する軸となる軸用ボルト２６と、該軸用ボルト２６の先端側に締結されて一対の刃２１，２１を狭持して留めるダブルナット２７とを備える。軸用ボルト２６とダブルナット２７との間には、一対の刃２１，２１が挿入されて、挟持されている。二つのナットから構成されるダブルナット２７のうち、軸用ボルト２６の基端側に位置する第１のナット２７Ａと、軸用ボルト２６の先端側に位置する第２のナット２７Ｂとの間には、位置決め部３の固定部６２が挿入されて、挟持されている。
【００３２】
一対の連結部２３，２３は、螺子棒２４の軸芯方向に対して交差する方向（図１の左右方向）を軸として回動可能に一対の刃２１，２１のそれぞれの基端部を連結する。そのため、一対の連結部２３，２３は、螺子棒２４が軸中心に回動することに伴い螺子棒２４の軸芯方向にそれぞれが離接するように動作する。
【００３３】
螺子棒２４は、絶縁操作棒９の装着部９５を介して伝達される回動軸９３の軸中心の回動力に連動して軸中心に回動する。
【００３４】
被装着部２５は、絶縁操作棒９の装着部９５に装着され、回動軸９３の回動と連動して螺子棒２４を回動させる。
【００３５】
位置決め部３は、図３及び図４に示すように、電線Ｗの端末を当接させる当接部５と、切断部２を位置決めする位置を変更可能な切断位置変更部６と、切断部２で切断される電線Ｗの長さを表示する切断長さ表示部７とを備える。
【００３６】
当接部５は、一対の刃２１，２１の間を通過する電線Ｗの端末が対向するように配置される当接面５１と、該当接面５１を支持する支持部５２と、該支持部５２の位置を固定する位置決め用ボルト５３及び位置決め用ナット５４とを備える。
【００３７】
当接面５１は、電線Ｗの線径より大きな面積を有する矩形状のプレートである。当接面５１は、所定長さの電線Ｗの端末が一対の刃２１，２１の間を通過したときに切断端面が突き当たる位置に配置されている。つまり、当接面５１は、一対の刃２１，２１の間を通過した電線Ｗの端末を止めるストッパーとしての機能を備える。
【００３８】
支持部５２は、当接面５１に対して直角に接続される矩形状のプレートである。支持部５２は、位置決め用ボルト５３の軸部を挿通可能であり頭部を係止する切り欠きを有する。なお、本実施形態に係る支持部５２は、略Ｕ字状の切り欠きを有する例を図示しているが、長孔状又は円状の貫通孔であってもよい。
【００３９】
位置決め用ボルト５３及び位置決め用ナット５４は、電線Ｗの端末が当接する当接面５１を移動しないように留める機能と、該当接面５１の位置を変更するために取り外す機能とを有する。
【００４０】
切断位置変更部６は、当接部５を一対の刃２１，２１に対して離接可能にガイドするガイド部６１と、該ガイド部６１を切断部２に固定する固定部６２とを備える。
【００４１】
ガイド部６１は、長尺状のガイドプレート６３と、該ガイドプレート６３の長尺方向に一定の幅を有するガイドスリット６４とを備える。ガイドプレート６３は、当接部５を移動させる移動量以上の長さを長手方向に有する。ガイドスリット６４は、位置決め用ボルト５３の軸部が挿通可能であり、且つ頭部が係止可能な幅を有する。また、ガイドスリット６４は、電線受取部４を固定するための固定用ボルト４５も挿通させる。なお、ガイドスリット６４は、電線受取部４を固定するための固定用ボルト４５を挿通させる孔を別に設けてもよい。
【００４２】
固定部６２は、一対の刃２１，２１の間を通過させて当接面５１まで挿入される略直線状の電線Ｗの端末に略並行にガイドプレート６３が配置されるように固定する。固定部６２は、ガイドプレート６３の長尺方向が一対の刃２１，２１の刃先を延長させて形成される面に対して略直交するようにガイドプレート６３を固定することが好ましい。
【００４３】
具体的には、固定部６２は、ガイド部６１に対して直角に接続される長尺状の固定プレート６５と、該固定プレート６５の長尺方向に一定の幅を有する固定スリット６６とを備える。固定プレート６５は、ガイドプレート６１と切断部２のダブルナット２７とをつなぐ長尺状のプレートである。固定スリット６６は、切断部２の軸用ボルト２６の軸部が挿通可能であり、且つ頭部が係止可能な幅を有する。なお、本実施形態に係るガイドスリット６４と固定スリット６６とは連続して形成された１つのスリットであるが、それぞれ独立して設けられていてもよい。また、固定スリット６６は、長孔又は丸孔であってもよい。
【００４４】
切断長さ表示部７は、ガイド部６１で位置調整された当接部５の位置に対応して、該当接部５に当接された電線Ｗの端末が切り落とされる切断長さを表示する。言い換えると、切断長さ表示部７は、図３に示すように、一対の刃２１，２１の位置から当接面５１までの距離Ａを表示する。なお、当接面５１に電線Ｗの端末を当接して切断するため、この当接面５１の位置が電線Ｗの端末の位置とみなされる。そして、この切断長さ表示部７に基づいて、当接部５の位置を調整しておけば、切断部２は、電線Ｗの端末を当接面５１に当接させるだけで位置決めできるようになる。
【００４５】
具体的には、切断長さ表示部７は、図４に示すように、電線Ｗの線径ごとに切断部２を位置決めする位置を表示する標識７１である。標識７１は、ガイド部６１のガイドプレート６３上に表示されている。標識７１は、一対の刃２１，２１の位置から電線Ｗの線径ごとに決められた切断長さに対応した位置を表示する。標識７１は、電線Ｗの線径ごとに異なる標示が設けられたものである。
【００４６】
つまり、一対の刃２１，２１の位置から４．０ｃｍの位置に、電線Ｗの線径が２００ｓｑの場合に当接部５を位置合わせする位置である旨の標示が設けられている。一対の刃２１，２１の位置から３．５ｃｍの位置に、電線Ｗの線径が５８ｓｑの場合に当接部５を位置合わせする位置である旨の標示が設けられている。一対の刃２１，２１の位置から３．０ｃｍの位置に、電線Ｗの線径が２５ｓｑの場合に当接部５を位置合わせする位置である旨の標示が設けられている。
【００４７】
なお、本実施形態に係る切断長さ表示部７は、切断部２で切断される電線Ｗの長さを表示する目盛であってもよい。この目盛は、一対の刃２１，２１の位置からの距離を示す標示が設けられたものである。切断しなければならない切断長さがわかっておれば、この目盛を基に電線Ｗの端末を切断する位置を容易に変更することができる。
【００４８】
電線受取部４は、切断部２で切断された電線Ｗの端末を収納する収納部４１と、該収納部４１の一方の面に設けられた開口を塞ぐ蓋４２と、収納部４１に固定されるガイド部６１のガイドスリット６４に対応して開口されたガイドスリット４３と、電線Ｗの端末が挿通される貫通孔４４と、収納部４１をガイド部６１に固定するための固定用ボルト４５及び固定用ナット４６とを備える。
【００４９】
収納部４１は、電線Ｗの端末側を囲むようにガイド部６１に固定されている。収納部４１及び蓋４２は、透明になっており、内部に配置される当接部５が外部から目視できるようになっている。また、収納部４１及び蓋４２は、収納部４１の外側に設けられて、該収納部４１に対向するガイド部６１の面に設けられる切断長さ表示部７も目視できるようになっている。収納部４１は、３相３線式の線路の切断に用いる際に、切断した端末を一度に収納できるように、切断した電線Ｗの端末を少なくとも３つ同時に収納できる容量を有することが好ましい。
【００５０】
蓋４２は、内部の当接部５の位置を調整する際と、収納された電線Ｗの端末を取り出す際に収納部４１を開放するために設けられている。また、蓋４２は、収納部４１で受けた電線Ｗの端末が落下しないように保持するために設けられている。
【００５１】
ガイドスリット４３は、収納部４１の内部に設けられる当接部５と収納部４１の外部に設けられるガイド部６１とを連絡する孔である。ガイドスリット４３は、ガイド部６１によりガイドされる当接部５をスライドさせることを許容するために設けられている。また、ガイドスリット４３は、収納部４１を固定するための固定用ボルト４５を通すための孔も兼ねている。
【００５２】
貫通孔４４は、収納部４１の内部に取り付けられる当接部５と一対の刃２１，２１との間に設けられる。貫通孔４４は、電線Ｗの端末を挿入可能な大きさに設定されている。また、貫通孔４４は、収納部４１の内部に収納された電線Ｗの端末が脱落しないような大きさに設定されていることが好ましい。なお、貫通孔４４は、電線Ｗの端末が当接面５１に対して略直角に突き当たるように、当接部５に向かって収納部４１の内部に挿入される端末の振れ幅を制限する機能を兼ね備えさせてもよい。
【００５３】
固定用ボルト４５及び固定用ナット４６は、収納部４１のガイドスリット４３とガイド部６１のガイドスリット６４とに固定用ボルト４５の軸部を挿入し、固定用ナット４６を締め付けることにより、収納部４１とガイド部６１とを固定する。なお、本実施形態に係る電線受取部４は、収納部４１をこの固定用ボルト４５及び固定用ナット４６で固定する例を説明しているが、これに限定されるものではなく、電線受取部４が収納部４１に接着されるなど一体をなすように固定されていてもよい。
【００５４】
なお、本実施形態に係るガイドスリット４３，６３は、ガイド部６１をスライドさせて移動する範囲に連続して設けられる例を説明したが、これに限定されるものではない。例えば、ガイドスリットのかわりに、ガイド部６１を留める位置毎に設けられた複数の貫通孔であってもよい。この貫通孔を電線Ｗの線径ごとの電線Ｗの切断長さに対応した位置に設けておけば、その貫通孔を選ぶだけで、対応する電線Ｗの線径に適合した電線Ｗの切断長さが切断されるように当接部５を位置合わせすることができる。
【００５５】
次に、本実施形態に係る間接活線作業用電線切断工具及び間接活線作業用絶縁操作具の作用について、図１〜図５を参酌しつつ説明する。まず、電線Ｗの切断箇所に間接活線張線具を取り付けて、電線の張力を間接活線張線具側に移す。そして、電線Ｗの切断箇所を切断する。このとき、一方の電線Ｗの端末には絶縁端末キャップを装着する。しかし、他方の電線Ｗの端末は、絶縁端末キャップを装着する前に、その電線Ｗの切断端面から所定の長さを切断してから絶縁端末キャップを装着する。
【００５６】
これは、電線Ｗの端末同士を再接続する際、それぞれの電線Ｗの端末をスリーブ内で突き合わせてスリーブで圧縮接続すると、スリーブが変形して電線Ｗの切断端面の間に隙間ができる。そのため、一方の電線Ｗの端末は、スリーブを圧縮して電線Ｗを接続する際に電線Ｗを切断する前と比べて支持点間の電線Ｗが伸びる分を考慮して、電線Ｗの切断端面から所定の長さを切断する。そして、その後に、その端末に絶縁端末キャップを取り付けている。なお、この電線Ｗの端末を切断する工程は、電線Ｗの接続までに行えばよい。
【００５７】
次に、この電線Ｗの端末を切断する方法について、詳細に説明する。まず、当接部５の位置を電線Ｗの線径に適合する位置に合わせる。つまり、当接部５の支持部５２とガイド部６１とを留める位置決め用ナット５４を緩めて、支持部５２をガイド部６１上をスライドさせる。そして、当接面５１の位置を切断する電線Ｗの線径に対応した標識７１の位置に合わせる。その位置で位置決め用ナット５４を締め付けて、当接部５をガイド部６１に留める。
【００５８】
収納部４の蓋４２を閉じて、絶縁操作棒９の装着部９５に間接活線作業用電線切断工具１を装着して、電線Ｗの端末に接近させる。そして、電線Ｗの端末に対して一対の刃２１，２１の間を挿通させ、端末を収納部４の貫通孔４４を介して収納部４１の内部に挿入する。この端末は、当接面５１に当接するまで挿入される。電線Ｗの端末を当接面５１に押し当てつつ、絶縁操作棒９のハンドル９２を回動させて、一対の刃２１，２１を閉じ、電線Ｗの端末を切断する。
【００５９】
電線Ｗを切断する際、位置決め部３の当接面５１は、電線Ｗの切断端面から所定の長さを離間した位置に一対の刃２１，２１が位置するように位置決めされている。そのため、ヤットコの把持部の幅などを頼りに電線Ｗの端末を切断する必要がなく、容易に一対の刃２１，２１を最適な切断位置に位置合わせすることができる。また、この所定の長さは、スリーブが圧縮されて線路長が切断される前より伸びる分に相当する。よって、電線Ｗが再接続されても支持点間の線路長が切断前後で変わらない。そのため、作業者は、電線の弛度が電線Ｗを切断する前と比べて変わらないように電線Ｗを切断することが容易にできる。
【００６０】
また、切断する電線Ｗの線径が変わっても、切断位置変更部６によって切断部２を位置決めする位置を、線路長が切断される前より伸びる分に合わせて変更することができる。よって、線路長が伸びる条件が異なる様々な電線Ｗ相互の接続に対応することができる。そして、電線Ｗの線径ごとに設けられた標識７１を基に電線Ｗの端末を切断する位置を電線Ｗの線径から一意的に選択することができる。
【００６１】
また、切断部２で切断された電線Ｗの端末は、その一部を囲む電線受取部４で受け取られ、収納部４１内に収納されるため、地上などに落下することがない。そのため、電線Ｗの端末をヤットコなどで把持して落下を阻止する必要がないため、電線Ｗの端末を切断する作業者一人で作業することができる。
【００６２】
なお、本発明は、上記実施形態に限定されず、本発明の要旨を逸脱しない範囲で様々な変更が可能である。
【００６３】
本実施形態に係る間接活線作業用電線切断工具は、いわゆる間接カッタである例を説明したが、これに限定されるものではない。例えば、本発明の間接活線作業用電線切断工具は、刃が電動で駆動する油圧カッタであってもよい。
【００６４】
本実施形態に係る間接活線作業用電線切断工具１は、切断部２と位置決め部３との他に、電線受取部４が付属する例を説明したが、これに限定されるものではない。つまり、本発明の間接活線作業用電線切断工具は、電線受取部４が付属されていなくてもよい。なお、本実施形態に係る電線受取部４の貫通孔４４は、電線Ｗの端末が当接部５に向かって挿入する進路を規制する機能も兼ね備えている。そのために、本発明の間接活線作業用電線切断工具は、電線受取部４の替わりに、貫通孔４４を有する電線進路規制部材を備えてもよい。この電線進路規制部材は、例えば、電線受取部４の貫通孔４４の位置に同じ貫通孔４４を有するプレートである。この電線進路規制部材によっても、当接部５に向かう電線Ｗの端末を当接面５１に対して略直角に突き当てることができ、電線Ｗの端末を径方向に平行に切断することができるとともに、切り落とす電線Ｗの端末の長さに誤差が生じないようになる。
【符号の説明】
【００６５】
１…間接活線作業用電線切断工具、２…切断部、３…位置決め部、４…電線受取部、５…当接部、６…切断位置変更部、７…切断長さ表示部、９…絶縁操作棒、２１…刃、２２…軸部、２３…連結部、２４…螺子棒、２５…被装着部、２６…軸用ボルト、２７…ダブルナット、２７Ａ…第１のナット、２７Ｂ…第２のナット、４１…収納部、４２…蓋、４３…ガイドスリット、４４…貫通孔、４５…固定用ボルト、４６…固定用ナット、５１…当接面、５２…支持部、５３…位置決め用ボルト、５４…位置決め用ナット、６１…ガイド部、６２…固定部、６３…ガイドプレート、６４…ガイドスリット、６５…固定プレート、６６…固定スリット、７１…標識、９１…把持部、９２…ハンドル、９３…回動軸、９４…固定軸、９５…装着部、Ｗ…電線
【図１】
0005480346.tif 000002
【図２】
0005480346.tif 000003
【図３】
0005480346.tif 000004
【図４】
0005480346.tif 000005
【図５】
0005480346.tif 000006